(57)【要約】【課題】鏡部を露出したにもかかわらず、座部に座ってシャワーをする際に鏡部から浮かせた状態で背中を凭れかけさせることができる。【解決手段】鏡部１の下方に鏡部１を背にして人が座ることができる座部２を設ける。座部２に座った人に向けてシャワーを浴びせるためのシャワーノズル３を設ける。座部２に座った人の背中を鏡部１の両側において支持するための背もたれ用突部４を前方に向けて突出する。【選択図】図１
2009233067.tif 000002
【特許請求の範囲】
【請求項１】
鏡部の下方に鏡部を背にして人が座ることができる座部を設け、座部に座った人に向けてシャワーを浴びせるためのシャワーノズルを設け、座部に座った人の背中を鏡部の両側において支持するための背もたれ用突部を前方に向けて突出して成ることを特徴とするシャワー装置。
【請求項２】
背もたれ用突部に凹部を設け、該凹部にシャワーノズルを配設して成ることを特徴とする請求項１記載のシャワー装置。
【請求項３】
座部に座った状態で掴むことができる手摺りを設け、該手摺りにシャワーノズルを配設して成ることを特徴とする請求項１又は請求項２記載のシャワー装置。
【発明の詳細な説明】
【技術分野】
【０００１】
本発明は、浴室に設置されるシャワー装置に関するものである。
【背景技術】
【０００２】
従来から、浴室に設置されるシャワー装置として特許文献１が知られている。この従来例は、鏡部に開閉自在なカバーを取付け、鏡部の下方に人が座ることができる座部を設け、更に、鏡部の両側にシャワーノズルを配置したものである。
【０００３】
シャワーを使用する時は、カバーを閉じて鏡部の前面を覆い、座部に座って鏡部を覆っているカバーに背中を凭れかけて支持させた状態で、シャワーノズルからシャワーを浴びるようになっている。
【０００４】
一方、シャワーを使用せず、鏡部を使用する時は、カバーを開いて鏡部を露出させることで鏡部の使用をするようになっている。
【０００５】
したがって、上記特許文献１に示された従来例にあっては、シャワーを使用する際と、鏡部を使用する際とで、カバーを閉じたり、あるいは開いたりする操作を行わなければならず、操作が面倒であるという問題があった。
【０００６】
また、背中のカバーに凭れかけた部分にはシャワーを当てることができないという問題があった。
【０００７】
また、従来にあっては、手摺りが無いため、老人、身体が不自由な人にとって、シャワーを浴びるために座部に座る動作、座部から立ち上がる動作がし難く、また、また、シャワーを浴びている際も安定した姿勢を保ち難くて、快適なシャワーができないという問題があった。
【特許文献１】特開２００６−２７１４４２号公報
【発明の開示】
【発明が解決しようとする課題】
【０００８】
本発明は上記の従来の問題点に鑑みて発明したものであって、従来のようにカバーを開閉するという手間をかけることなくシャワーの使用、鏡部の使用ができ、しかも、鏡部を露出したにもかかわらず、座部に座ってシャワーをする際に鏡部から浮かせた状態で背中を凭れかけさせることができ、また、背中の凭れかけた部分もシャワー流を当てることができ、更に、座部に座ったり、座部から立ち上がったり、シャワーを浴びたりする時に手を支えることができるとともに、座部に座った人に対してシャワーを浴びるためのシャワーノズルを設ける部材を別途必要としないシャワー装置を提供することを課題とするものである。
【課題を解決するための手段】
【０００９】
上記課題を解決するために本発明に係るシャワー装置は、鏡部１の下方に鏡部１を背にして人が座ることができる座部２を設け、座部２に座った人に向けてシャワーを浴びせるためのシャワーノズル３を設け、座部２に座った人の背中を鏡部１の両側において支持するための背もたれ用突部４を前方に向けて突出して成ることを特徴とするものである。
【００１０】
このような構成とすることで、シャワーを使用する場合は、座部２に鏡部１を背にするようにして座り、背中を背もたれ用突部４に凭れかけ、シャワーノズル３からシャワーを噴出してシャワーを浴びることができる。この場合、背もたれ用突部４が鏡部１の両側から前方に向けて突出しているので、背中を鏡部１から浮かせた状態で鏡部１の両側から前方に突出した背もたれ用突部４で支持でき、したがって、鏡部１を露出したまま鏡部１を損傷することなく、背中の支持ができる。一方、従来のように背もたれとなるカバーで鏡部１を覆う必要がないので、鏡部１は露出したままでよく、この結果、シャワーを使用する際、鏡部１を使用する際のいずれの場合も従来のようにカバーの開閉操作を必要としない。
【００１１】
また、背もたれ用突部４に凹部５を設け、該凹部５にシャワーノズル３を配設することが好ましい。
【００１２】
このような構成とすることで、背中の背もたれ用突部４に凭れかけさせた部分にも凹部５内に配設したシャワーノズル３からシャワー流を噴出して当てることができ、特に、シャワーによる背中の部分的なマッサージができる。また、凹部５内にシャワーノズル３を配設しているので、背もたれ用突部４に背中を持たれかけさせた状態で背もたれ用突部４に設けたシャワーノズル３が背中で塞がれることがない。
【００１３】
また、座部２に座った状態で掴むことができる手摺り６を設け、該手摺り６にシャワーノズル３を配設することが好ましい。
【００１４】
このような構成とすることで、座部２に座ったり、座部２から立ち上がったり、シャワーを浴びたりする時に手摺り６を手で掴んで身体を支えながら行うことができる。また、座部２に座った人に対して前方や側方からシャワーを浴びるためのシャワーノズル３を設ける部材を別途必要としない。
【発明の効果】
【００１５】
本発明の請求項１記載の発明は、上記のように鏡部の両側に前方に向けて突出する背もたれ用突部を設けているので、シャワーの使用に当たって、従来のように開閉自在なカバーを設けなくても背中を凭れかけさせた状態でシャワーを浴びることができ、また、鏡部を露出したにもかかわらず、座部に座ってシャワーをする際に鏡部から浮かせた状態で背中を凭れかけさせることができて、鏡部を破損させることがない。また、開閉自在なカバーを設けなくてよいので、シャワーを使用する時、鏡部を使用する時のいずれの場合もカバーを開閉するという手間が必要でなく、操作性がよくなる。
【００１６】
請求項２記載の発明にあっては、背もたれ用突部に凹部を設け、該凹部にシャワーノズルを配設してあるので、背中の凭れかけた部分もシャワー流を当てることができる。
【００１７】
請求項３記載の発明にあっては、座部に座った状態で掴むことができる手摺りを設け、該手摺りにシャワーノズルを配設してあるので、座部に座ったり、座部から立ち上がったり、シャワーを浴びたりする時に手を支えることができるとともに、座部に座った人に対してシャワーを浴びるためのシャワーノズルを設ける部材を別途必要とせず、部材点数が少なくなり、構成が簡略化し、使い勝手がよくなる。
【発明を実施するための最良の形態】
【００１８】
以下、本発明を添付図面に示す実施形態に基いて説明する。
【００１９】
本発明のシャワー装置７は浴室に設置されるもので、鏡部１と、鏡部１の下方に配置される座部２と、鏡部１の両側に配置されて鏡部１よりも前方に突出する背もたれ用突部４と、シャワーノズル３と、手摺り６とを備えている。
【００２０】
鏡部１は本シャワー装置７の上部中央に配置してあって正面に露出しており、常時露出するようにカバーなどは設けてない。
【００２１】
鏡部１の下部に本体部１７が設けてあり、本体部１７から前方及び両側方に向けてカウンター８を突設し、該カウンター８の巾方向の中間部が座部２となっている。
【００２２】
鏡部１の左右両側に前方に向けて突出した背もたれ用突部４は上下長さが鏡部１の全長にわたっており、左右に対向する対向面間の間隔が鏡部１側ほど狭く、鏡部１から離れるほど広くなるように、対向面が傾斜面又は弧状傾斜面９となっており、鏡部１を背にして座部２に座った際に、背中の両側を両背もたれ用突部４の上記傾斜面又は弧状傾斜面９により支持することができるようになっていると共に、背中を背もたれ用突部４に凭れかけさせて支持した状態で背中が鏡部１に接触しないようになっている。
【００２３】
背もたれ用突部４の上記傾斜面又は弧状傾斜面９には凹部５が設けてあり、該凹部５内にシャワーノズル３が配設してあり、シャワーノズル３の先端は凹部５の開口よりも後ろに後退して位置しており、背中を背もたれ用突部４に凭れさせた際にシャワーノズル３の先端が背中により塞がれないようにしてある。
【００２４】
背もたれ用突部４の上記傾斜面又は弧状傾斜面９の裏側は収納用空所１０となっており、収納用空所１０内には棚１１が設けてあり、また収納用空所１０は外側方に向けて開口した側方開口部が形成してあって、この側方開口部から収納用空所１０内に収納物（浴室内で使用する小物）の出し入れができるようになっている。
【００２５】
手摺り６は一対設けてあり、一対の手摺り６の上下方向の略中間部分よりもやや下方位置でカウンター８の巾方向の両側の前部にそれぞれ取付けてある。該手摺り６の上端部に後方側に向けて突出した後方突出部１５が設けてあって、後方突出部１５が浴室の壁１２に取付けてあり、また、手摺り６の下端が浴室の床１３に取付けてある。
【００２６】
上記一対の手摺り６には座部２に人が座った際に、全身にシャワー浴びることができるように複数のシャワーノズル３が設けてある。ここで、手摺り６のカウンター８より上の部分には身体の座部２よりも上に位置する部位に向けてシャワーを噴射できるようにシャワーノズル３が設けてあり、手摺り６のカウンター８よりも下の部分には足元にシャワーを噴射できるようにシャワーノズル３（足元シャワーノズル）が設けてある。
【００２７】
また、本体部１７から先端部にハンドシャワー用のシャワーヘッド１７を有するシャワーホース１４が連出してある。
【００２８】
カウンター８の巾方向の側部又は本体部１７には、背もたれ用突部４の凹部５内に配設したシャワーノズル３、手摺り６に設けたシャワーノズル３のいずれか一種類を選択して単独で散水するか、又は複数種類を同時に散水するかを切り換えるハンドルや温度調節ハンドル、水栓ハンドル等のハンドル１６が設けてある。ハンドシャワー用のシャワーヘッド１７にはそれ自体に開閉操作部を設けてもよく、あるいは、カウンター８にハンドシャワー用のシャワーヘッド１７開閉用のハンドルを設けてもよい。
【００２９】
上記の構成のシャワー装置７は前述のように浴室内に設置され、シャワーを使用する場合は、鏡部１を背にして座部２に座り、ハンドル１６を操作してシャワーを浴びるものである。
【００３０】
この場合、使用者は座部２に座って、背中を鏡部１の両側から前方に向けて突出した背もたれ用突部４に凭れかけた姿勢でシャワーを浴びることができるので、楽な姿勢でシャワーを浴びることができる。この際、鏡部１の両側から前方に突出した背もたれ用突部４に背中を凭れかけさせるものであるから、背中を鏡部１から浮かせることができて（背中が鏡部１に当らないようにできて）、鏡部１を破損させることがない。
【００３１】
また、背もたれ用突部４に背中を持たれかけさせた状態で、凹部５内に内装したシャワーノズル３を使用すると、背中の背もたれさせた部分に部分的にシャワー流を当てることができて、この部分をシャワー流により局部的にマッサージできる。
【００３２】
また、シャワーを使用するに当たって座部２に座る際に手摺り６を手で掴んで座ることができ、また、シャワー中も手摺り６を掴んで安定した姿勢でシャワーを浴びることができ、また、シャワーが終わって座部２から立ち上がる際に手摺り６を手で掴んで立ち上がることができ、老人や身体の不自由な人でも楽に使用することができる。
【００３３】
そして本発明においてはこのように使用の際に手で掴むための手摺り６にシャワーノズル３を設けてあるので、座部２に座った人に対して前方や側方からシャワーを浴びるためのシャワーノズル３を設ける部材を別途必要としない。
【００３４】
一方、シャワーを使用しない時は、浴室に設置した上記シャワー装置７においては鏡部１が露出しているので、そのまま、浴室に設置された鏡として利用でき、洗顔、髭剃り、洗髪等の際に顔や頭部を鏡で見ることができる。このとき、巾方向の中間部が座部２となったカウンター８上には石鹸容器やシャンプー容器を置いたり、洗面器を置いたりすることができる。
【図面の簡単な説明】
【００３５】
【図１】本発明の概略構成図である。
【符号の説明】
【００３６】
１  鏡部
２  座部
３  シャワーノズル
４  背もたれ用突部
５  凹部
６  手摺り
【図１】
2009233067.tif 000003